(57)【要約】【課題】  水路管理が容易な水路を構成する水路ブロックを安価に提供する。【解決手段】  水路の途中に挿設される水路ブロックであり、この水路ブロックが、一方の側壁から他方の側壁へ所定幅を残して延びる背の低い誘導堰が形成され、誘導堰の始端付近から終端に至るまでの下流側を漸低させた底面を有する第一水路ブロックと、第一水路ブロックの下流側に接続され、第一水路ブロックの所定幅と同じ幅を陥没させて砂溜まりとし、一方の側壁から砂溜まりに向かって漸低する底面を有する第二水路ブロックとで構成されることを特徴とする水路ブロック。【選択図】  図１
2007023533.tif 000002
【特許請求の範囲】
【請求項１】
水路の途中に挿設される水路ブロックであり、この水路ブロックが、一方の側壁から他方の側壁へ所定幅を残して延びる背の低い誘導堰が形成され、誘導堰の始端付近から終端に至るまでの下流側を漸低させた底面を有する第一水路ブロックと、第一水路ブロックの下流側に接続され、第一水路ブロックの所定幅と同じ幅を陥没させて砂溜まりとし、一方の側壁から砂溜まりに向かって漸低する底面を有する第二水路ブロックとで構成されることを特徴とする水路ブロック。
【請求項２】
誘導堰が平面視で上流側を凸とする曲線で形成されている請求項１の水路ブロック。
【請求項３】
第一水路ブロック或いは第二水路ブロックがＵ字形ブロック又はＬ字形ブロックである請求項１又は２の水路ブロック。
【請求項４】
第一水路ブロック或いは及び第二水路ブロックがそれぞれ一つのブロックで構成されているか又はそれぞれ複数のブロックで構成されている請求項１〜３いずれかの水路ブロック。
【請求項５】
第一水路ブロック或いは第二水路ブロックに魚巣ブロックが付設される請求項１〜４いずれかの水路ブロック。
【請求項６】
第一水路ブロック或いは第二水路ブロックの側壁に間伐材が使用される請求項１〜５いずれかの水路ブロック。
【発明の詳細な説明】
【技術分野】
【０００１】
本発明は、棲息動植物に優しい水路ブロックに関するものである。
【背景技術】
【０００２】
最近では、棲息動植物に優しい水路ブロックが提案されており、例えば、下記特許文献１には、水棲動物が棲息できたり、産卵できる砂溜まりを設けたものが示されている。また、特許文献２及び３には、ブロックの側面に棲息場所や魚巣を設けたりしているものが示されている。
【０００３】
しかし、砂溜まりは、通常の水流の流れを阻害するものであってはならないし、また、一旦溜まった砂が流出するものであってもならない。また、棲息場所や産卵場所を確保するものであっても、複雑な構造をしていては、コストの高いものになってしまう。さらに、砂溜まりが水路管理を容易にするものが好ましいが、上記した先行文献のものは、このようなことの配慮が十分になされているとはいえない。
【特許文献１】特開２００３−２３２０２６号公報
【特許文献２】特開平０９−２５０１１８号公報
【特許文献３】実開昭６３−１０４４３３号公報
【発明の開示】
【発明が解決しようとする課題】
【０００４】
本発明は、このような課題を解決するものであり、簡易な構造をしていて施工も簡単であるとともに、水路管理を容易にする水路ブロックを提供したものである。
【課題を解決するための手段】
【０００５】
以上の課題の下、本発明は、請求項１に記載した、水路の途中に挿設される水路ブロックであり、この水路ブロックが、一方の側壁から他方の側壁へ所定幅を残して延びる背の低い誘導堰が形成され、誘導堰の始端付近から終端に至るまでの下流側を漸低させた底面を有する第一水路ブロックと、第一水路ブロックの下流側に接続され、第一水路ブロックの所定幅と同じ幅を陥没させて砂溜まりとし、一方の側壁から砂溜まりに向かって漸低する底面を有する第二水路ブロックとで構成されることを特徴とする水路ブロックを提供したものである。
【０００６】
また、本発明は、以上の水路ブロックにおいて、請求項２に記載した、誘導堰が平面視で上流側を凸とする曲線で形成されている手段、請求項３の、第一水路ブロック或いは第二水路ブロックがＵ字形ブロック又はＬ字形ブロックである手段、請求項４の、第一水路ブロック或いは及び第二水路ブロックがそれぞれ一つのブロックで構成されているか又はそれぞれ複数のブロックで構成されている手段、請求項５の、第一水路ブロック或いは第二水路ブロックに魚巣ブロックが付設される手段、請求項６の、第一水路ブロック或いは第二水路ブロックの側壁に間伐材が使用される手段を提供したものである。
【発明の効果】
【０００７】
請求項１の手段によると、第一水路ブロックに設けられる背の低い誘導堰によって水路底を流れる砂は第二水路ブロックの砂溜まりに導かれ、また、第二水路ブロックの底面に形成される砂溜まりに向かう勾配は、ここを流れる砂を砂溜まりに導く。このようにして砂は砂溜まりに溜まり、水棲動物の産卵場所や棲息場所を確保することになる。また、びんやかんといったゴミもこの勾配によって一方の側壁側に形成される狭幅の砂溜まりに導かれるから、収拾も容易になる。さらに、水草等も砂溜まりに優先的に生えるから、刈取りも容易である。
【０００８】
請求項２の手段によると、砂溜まりへの砂の誘導がより促進されるし、請求項３及び４の手段によると、水路形成の自由度が高まる。また、請求項５の手段によると、魚の棲息環境がより向上するし、請求項６の手段によると、間伐剤の有効利用が図れるし、岸辺の景観が増すものになる。
【発明を実施するための最良の形態】
【０００９】
以下、本発明の実施の形態を図面を参照して説明する。図１は本発明に係る水路ブロックの平面図、図２は図１のＡ−Ａ断面図、図３は図１のＢ−Ｂ断面図であるが、この水路ブロックは、水路ブロックによって構築される水路の所々に挿設される水路ブロックであり、第一水路ブロック１と第一水路ブロック１の下流側に接続される第二水路ブロック２とで構成される。
【００１０】
第一水路ブロック（以下、第一ブロック）１は、本例では、Ｕ字形ブロックで構成され、始端から適当な位置の底壁３に一方の側壁４から他方の側壁５へ所定幅を残して延びる誘導堰６が形成されたものである。この誘導堰６は、平面視で上流側を凸とする曲線で形成されており、ブロックの丈の１／３０〜１／４０程度の背の低いものである。また、他方の側壁５との間で確保される所定幅は、残部との比率が１：４程度と幅の狭いものになっている。加えて、誘導堰６の始端付近から終端に至るまでの底面３は、下流側を漸低させてある。
【００１１】
ところで、誘導堰６の形成及び底壁３の勾配は、ブロック成形時に予め形成したものであってもよいが、現場でコンクリート等を盛り上げて形成してもよい。こうすれば、一般的なＵ字形ブロックで足りることになる。この他、Ｕ字形ブロックに限らず、Ｌ字形ブロックを使用してもよい。
【００１２】
第二水路ブロック（以下、第二ブロック）２は、本例では、一方側のブロック７と他方側のブロック８の二個のＬ字形ブロックを組み合わせている。このうち、一方のブロック７は、側壁７ａと底壁７ｂとからなり、底壁７ｂの上面は、外端側に向かって漸低している。なお、この漸低の態様は、上方を凹とするアールになっているのが好ましい。また、底面の上下流方向の勾配は、平坦な場合もあれば、水路勾配を付けていることもある。
【００１３】
他方のブロック８も、側壁８ａと底壁８ｂとからなるが、底壁８ｂの側壁８ａ側は、上記した所定幅と同じ幅で第一ブロック１の底面よりも段差を形成して陥没させてあり、これを砂溜まり９としている。この砂溜まり９の陥没深さは、第一ブロック１の底壁３と段差を有しており、ブロックの丈の１／１０〜１／１４程度とかなり深いものになっているし、全長に亘って同じ深さにしてある。
【００１４】
この場合の他方のブロック８の構造は、砂溜まり９の外方側には起立壁８ｃを設け、更にその外方を延長面８ｄとしている。そして、一方のブロック７の構造も、その底壁７ｂにこれに対応して平坦面７ｃと凸部７ｄを形成し、上記した起立壁８ｃ、延長面８ｄを平坦面７ｃ、凸部７ｄと噛み合わせて結合の強化を図っている。
【００１５】
ところで、これらの構造は、一例であって、これに限定されるものではない。一般的なＵ字形ブロック又はＬ字形ブロックを使用し、砂溜まり９以外の部分をコンクリート等で相対的に盛り上げて砂溜まり８としてもよい。また、底壁７ｂの側壁７ａ側を順次コンクリート等で盛り上げて砂溜まり９に向かう漸低勾配としてもよい。こうすると、コスト安くできることになる。
【００１６】
以上のような第一及び第二ブロック１、２によって水路を形成すると、第一ブロック１の底壁３近くを流れる比重の重い砂は、誘導堰６の形状と底壁３の漸低勾配によって自然に第二ブロック２の砂溜まり９の方向に導かれる。また、誘導堰６を乗り越えた砂も、第二ブロック２の底壁７ｂの砂溜まり９に向かっての漸低勾配によって砂溜まり９に導かれる。このようにして、砂溜まり９には、砂が堆積するから、二枚貝や魚といった水棲動物は、ここを恰好の産卵場所や棲息場所にして繁殖する。
【００１７】
一方、かんやびんといったゴミも流れて来るが、第二ブロック２の底壁７ｂの上記した漸低勾配によって砂溜まり９に向かい、ここに堆積する。この砂溜まり９は、側壁７ａ（岸）に近いところに狭い幅で存在することから、岸から容易に収拾できる。さらに、砂溜まり９には、水草等も繁茂するが、この草刈も容易である。
【００１８】
以上は、本発明の基本的な形態であるが、本発明は、この他に種々改変された形態をとることがある。図４はその一例を示す第二ブロック２の断面図であるが、本例のものは、側壁７ａ、８ａに間伐材を使用したものである。すなわち、側壁７ａ、７ｂに適当な枠１０を形成し、これに間伐材１１を並べたものである。このうち、左側は縦方向（１２はずれ止め用の横筋）、右側は横方向に並べたものである。これによると、間伐材の有効利用にもなるし、岸辺の景観も優れたものになる。なお、間伐材の利用は、第一ブロック１の側壁４、５であってもよい。
【００１９】
また、以上の第一及び第二ブロック１、２に魚巣ブロック（図示省略）を取り付けることもある。この場合の魚巣ブロックは、種々のものが市販されているから、適当なものを選べばよい。さらに、以上の第一及び第二ブロック１、２は、それぞれ一つのブロックで形成したものであるが、これを適当に分割して複数で形成してもよい。なお、これら第一及び第二ブロック１、２は、水路の所々に挿設するものであるが、全体をこれで構成してもよい。
【図面の簡単な説明】
【００２０】
【図１】本発明に係る水路ブロックの平面図である。
【図２】図１のＡ−Ａ断面図である。
【図３】図１のＢ−Ｂ断面図である。
【図４】本発明の他の例を示すブロックの断面図である。
【符号の説明】
【００２１】
１      第一水路ブロック
２      第二水路ブロック
３      第一水路ブロックの底壁
４      ブロックの一方の側壁
５      ブロックの他方の側壁
６      誘導堰
７      第二水路ブロックの一方のブロック
７ａ    側壁
７ｂ    底壁
７ｃ    平坦面
７ｄ    凸部
８      第二水路ブロックの他方のブロック
８ａ    側壁
８ｂ    底壁
８ｃ    起立壁
８ｄ    延長面
９      砂溜まり
１０    枠
１１    間伐材
１２    横筋
【図１】
2007023533.tif 000003
【図２】
2007023533.tif 000004
【図３】
2007023533.tif 000005
【図４】
2007023533.tif 000006